(57)【要約】　　　（修正有）【課題】液体製剤に含まれる有効成分を用事に簡単な作業で揮散させることができる使い勝手がよい揮散装置を提供する。【解決手段】揮散装置１０は、液体製剤Ｌを内部に収容し、上方に開口部１４が形成された貯留容器１１と、揮散用担体１２と、用事前に揮散用担体１２が液体製剤Ｌに接触しないように配された遮蔽部材１３とを備え、揮散用担体１２は、長尺の吸液部１２ａと、揮散部１２ｂとを有し、遮蔽部材１３は下方側の端部が密閉された筒形状を有し、内部に吸液部１２ａが挿入されるように配されており、鍔部１５が突設され、用事に遮蔽部材１３を貯留容器１１の内部に向かって押し込むことで遮蔽部材１３から破断する突起部１７が設けられている。【選択図】　図１
2004024412.tif 000002
【特許請求の範囲】
【請求項１】
液体製剤を内部に収容し、上方に開口部が形成された貯留容器と、前記液体製剤が供給される揮散用担体と、用事前に前記揮散用担体が前記液体製剤に接触しないように配された遮蔽部材とを備えた揮散装置であって、
前記揮散用担体は、少なくとも一部が前記貯留容器の内部に挿入された長尺の吸液部と、該吸液部の上方に一体的に形成されて前記吸液部を介して供給された前記液体製剤を揮散させる揮散部とを有し、
前記遮蔽部材は下方側の端部が密閉された筒形状を有し、内部に前記吸液部が挿入されるように配されており、前記遮蔽部材の外周面上方には鍔部が突設され、該鍔部は、前記開口部を密閉する状態で、且つ、用事に前記遮蔽部材を前記貯留容器の内部に向かって押し込むことで前記遮蔽部材から破断するように形成され、
前記貯留容器の内側には押し込まれた前記遮蔽部材と当接する位置に該遮蔽部材の下方を破断する突起部が設けられていることを特徴とする揮散装置。
【請求項２】
液体製剤を内部に収容し、上方に開口部が形成された貯留容器と、前記液体製剤が供給される揮散用担体と、用事前に前記揮散用担体が前記液体製剤に接触しないように配された遮蔽部材とを備えた揮散装置であって、
前記揮散用担体は、少なくとも一部が前記貯留容器の内部に挿入された長尺の吸液部と、該吸液部の上方に一体的に形成されて前記吸液部を介して供給された前記液体製剤を揮散させる揮散部とを有し、
前記遮蔽部材は下方側の端部が密閉された筒形状を有し、内部に前記吸液部が挿入されるように配されており、前記遮蔽部材の外周面上方には鍔部が突設され、該鍔部は、前記開口部を密閉する状態で、且つ、用事に前記遮蔽部材を前記貯留容器の内部に向かって押し込むことで前記遮蔽部材から破断するように形成され、前記遮蔽部材の少なくとも一部は前記鍔部と一体に形成され、且つ、該鍔部とともに切除可能な切除部を形成することを特徴とする揮散装置。
【請求項３】
液体製剤を内部に収容し、上方に開口部が形成された貯留容器と、前記液体製剤が供給される揮散用担体と、用事前に前記揮散用担体が前記液体製剤に接触しないように配された遮蔽部材とを備えた揮散装置であって、
前記揮散用担体は、少なくとも一部が前記貯留容器の内部に挿入され、且つ、内部に芯部材が配された長尺の吸液部と、該吸液部の上方に一体的に形成されて前記吸液部を介して供給された前記液体製剤を揮散させる揮散部とを有し、
前記遮蔽部材は下方側の端部が密閉された筒形状を有し、内部に前記吸液部が挿入されるように配されており、前記遮蔽部材の外周面上方には鍔部が突設され、該鍔部は、前記開口部を密閉する状態で、且つ、用事に前記遮蔽部材を前記貯留容器の内部に向かって押し込むことで前記遮蔽部材から破断するように形成され、
前記遮蔽部材の下方の一部が、前記吸液部によって破断されるように薄肉に形成されていることを特徴とする揮散装置。
【発明の詳細な説明】
【０００１】
【発明の属する技術分野】
本発明は、室内等の空間に、液体製剤に含まれた芳香成分や消臭成分等の有効成分を、用事に揮散及び拡散させることができる揮散装置に関する。
【０００２】
【従来の技術】
従来、揮散装置として、内部に芳香成分等の有効成分を含む液体製剤を収容し、用事に揮散用担体に供給して含浸させ、その揮散用担体から有効成分を揮散させるものが用いられている。このような揮散装置としては、流通の過程や用事前に、揮散装置の内部に収容された液体製剤から有効成分が揮散されないようにするため、揮散用担体と液体製剤との間に遮蔽部材を設けることで、液体製剤が揮散用担体に接触しないようにする構造を有するものが提案されていた。
【０００３】
【発明が解決しようとする課題】
しかし、上記の揮散装置は、用事には使用者が遮蔽部材を取り外す作業を行う必要があり、扱いづらいという点で更なる改善の余地があった。
本発明は、このような事情に鑑みてなされたもので、その目的は、液体製剤に含まれる有効成分を用事に簡単な作業で揮散させることができる使い勝手がよい揮散装置を提供することにある。
【０００４】
【課題を解決するための手段】
上記の本発明の目的は、液体製剤を内部に収容し、上方に開口部が形成された貯留容器と、前記液体製剤が供給される揮散用担体と、用事前に前記揮散用担体が前記液体製剤に接触しないように配された遮蔽部材とを備えた揮散装置であって、前記揮散用担体は、少なくとも一部が前記貯留容器の内部に挿入された長尺の吸液部と、該吸液部の上方に一体的に形成されて前記吸液部を介して供給された前記液体製剤を揮散させる揮散部とを有し、前記遮蔽部材は下方側の端部が密閉された筒形状を有し、内部に前記吸液部が挿入されるように配されており、前記遮蔽部材の外周面上方には鍔部が突設され、該鍔部は、前記開口部を密閉する状態で、且つ、用事に前記遮蔽部材を前記貯留容器の内部に向かって押し込むことで前記遮蔽部材から破断するように形成され、前記貯留容器の内側には押し込まれた前記遮蔽部材と当接する位置に該遮蔽部材の下方を破断する突起部が設けられていることを特徴とする揮散装置によって達成される。
【０００５】
このような構成を有する揮散装置とすれば、使用者が用事に遮蔽部材の上方を把持し、貯留容器の内部に押し下げることで、貯留容器の内部に設けられた突起部によって遮蔽部材が破断され、また、開口部を密閉する鍔部が遮蔽部材から破断される。遮蔽部材における、突起部によって破断された箇所から貯留容器内に収容された液体製剤が遮蔽部材の内部に流入する。そして、流入した液体製剤は揮散用担体の吸液部に吸液され、上方に吸い上げられて揮散部に保持され、液体製剤中の有効成分が揮散装置の外部の雰囲気に揮散される。さらに、開口部の鍔部が破断されたことで、貯留容器の内部に空気が流れ込むようになり、吸液部から揮散部への液体製剤がスムーズになる。
【０００６】
また、本発明の目的は、液体製剤を内部に収容し、上方に開口部が形成された貯留容器と、前記液体製剤が供給される揮散用担体と、用事前に前記揮散用担体が前記液体製剤に接触しないように配された遮蔽部材とを備えた揮散装置であって、前記揮散用担体は、少なくとも一部が前記貯留容器の内部に挿入された長尺の吸液部と、該吸液部の上方に一体的に形成されて前記吸液部を介して供給された前記液体製剤を揮散させる揮散部とを有し、前記遮蔽部材は下方側の端部が密閉された筒形状を有し、内部に前記吸液部が挿入されるように配されており、前記遮蔽部材の外周面上方には鍔部が突設され、該鍔部は、前記開口部を密閉する状態で、且つ、用事に前記遮蔽部材を前記貯留容器の内部に向かって押し込むことで前記遮蔽部材から破断するように形成され、前記遮蔽部材の少なくとも一部は前記鍔部と一体に形成され、且つ、該鍔部とともに切除可能な切除部を形成することを特徴とする揮散装置によって達成される。
【０００７】
このような構成を有する本発明の揮散装置とすれば、使用者が用事に鍔部を開口部から取り外せば、同時に、この鍔部と一体に形成された揮散用担体の一部が切除される。切除部から貯留容器内に収容された液体製剤が遮蔽部材の内部に流入する。そして、流入した液体製剤は揮散用担体の吸液部に吸液され、上方に吸い上げられて揮散部に保持され、液体製剤中の有効成分が揮散装置の外部の雰囲気に揮散される。さらに、開口部の鍔部が破断されたことで、貯留容器の内部に空気が流れ込むようになり、吸液部から揮散部への液体製剤がスムーズになる。
【０００８】
さらに、本発明の目的は、液体製剤を内部に収容し、上方に開口部が形成された貯留容器と、前記液体製剤が供給される揮散用担体と、用事前に前記揮散用担体が前記液体製剤に接触しないように配された遮蔽部材とを備えた揮散装置であって、前記揮散用担体は、少なくとも一部が前記貯留容器の内部に挿入され、且つ、内部に芯部材が配された長尺の吸液部と、該吸液部の上方に一体的に形成されて前記吸液部を介して供給された前記液体製剤を揮散させる揮散部とを有し、前記遮蔽部材は下方側の端部が密閉された筒形状を有し、内部に前記吸液部が挿入されるように配されており、前記遮蔽部材の外周面上方には鍔部が突設され、該鍔部は、前記開口部を密閉する状態で、且つ、用事に前記遮蔽部材を前記貯留容器の内部に向かって押し込むことで前記遮蔽部材から破断するように形成され、前記遮蔽部材の下方の一部が、前記吸液部によって破断されるように薄肉に形成されていることを特徴とする揮散装置によって達成される。
【０００９】
このような構成を有する揮散装置とすれば、使用者が用事に遮蔽部材の上方を把持し、貯留容器の内部に押し下げることで、遮蔽部材の下方に位置して内部に芯部材を有する吸液部によって遮蔽部材の薄肉に形成されている部分が破断される。また、遮蔽部材を押し下げた際に開口部を密閉する鍔部が遮蔽部材から破断される。遮蔽部材における、破断された薄肉の部分から貯留容器内に収容された液体製剤が遮蔽部材の内部に流入する。そして、流入した液体製剤は揮散用担体の吸液部に吸液され、上方に吸い上げられて揮散部に保持され、液体製剤中の有効成分が揮散装置の外部の雰囲気に揮散される。さらに、開口部の鍔部が破断されたことで、貯留容器の内部に空気が流れ込むようになり、吸液部から揮散部への液体製剤がスムーズになる。
【００１０】
上記のような構成を有する本発明の揮散装置よれば、揮散用担体と液体製剤との間に遮蔽部材を介在させることによって、揮散用担体と液体製剤とが接触することが防止される構成を有しているため、用事前に液体製剤の有効成分が揮散することがない。また、揮散装置は、用事において、使用者が遮蔽部材を貯留容器の内部から取り出して揮散用担体を貯留容器に取り付けるといった煩雑な作業をする必要がないため、使い勝手がよい。
【００１１】
揮散用担体は、その材質として、液体製剤を保持でき且つ液体製剤を揮散できるものであればいずれのものでも使用でき、具体的には、プラスチック、パルプ等の有機材料やガラス等の無機材料の多孔性材料を用いることができる。本発明においては、不織布からなるものやパルプ製のものが、揮散がより安定して好ましい。揮散用担体が複数の材質からなっていてもよく、例えば、表面の材質と内部の材質とを異ならせてもよい。
【００１２】
揮散用担体は、例えば、平坦形状に成形することができ、平坦形状としては平板状のほか、例えば、表面に凹凸を有していてもよいし、網状、格子状でもよいし、部分的に厚みが異なってもよい。
【００１３】
貯留容器の材質、形状は特に限定されず、液体製剤を安定に収容できるものであればよく、その材質として、ポリエチレンテレフタレート（以下、ＰＥＴともいう）、ポリエチレン、ポリプロピレン等のプラスチック、ガラス、セラミック、金属等を例示できる。
吸液部が揮散用担体とは別の材料から構成されるようにてもよい。吸液部の材質としては、有機材料、無機材料のいずれでも用いることができる。好ましくは樹脂であり、具体的にはＰＥＴ、アクリル樹脂（以下、ＰＡともいう）、ポリプロピレン、ポリエチレンの１種あるいは２種以上を挙げることができる。特にＰＥＴ又はＰＡを用いた多孔性材料が好ましく、これにより、液体製剤中に含まれる有効成分の揮散性及び拡散性が一層改善される。なお、揮散用担体に、風、熱風をあて、あるいは、ヒータによる加熱などで有効成分の拡散力を向上させることができる。
【００１４】
本発明に用いることができる液体製剤としては、有効成分として芳香成分及び／又は消臭成分、忌避剤、防虫剤、殺菌剤、防カビ剤、殺虫剤、昆虫成長調整剤等を含むものが挙げられる。
芳香成分としては、例えば、ハッカ油、ペパーミント油、スペアミント油、イグサ、ヒノキ、シトロネラ、シトラール、シトロネラール、レモン、レモングラス、オレンジ、ユーカリ、ラベンダー等の精油成分及びそれらから得られる芳香成分を挙げることができる。
消臭成分としては、例えば、メタクリル酸ラウリル、メチル化サイクロデキストリン、植物抽出エキス（例えば、ツバキ、バラ、キク、マツ、スギ、オオバコ等から得られるエキス）、植物精油（例えば、茶抽出物、カテキン、植物ポリフェノール、リナロール、メントール、ボルネオール）、界面活性剤等が挙げられる。
【００１５】
【発明の実施の形態】
以下、本発明の実施の形態を図面に基づいて詳しく説明する。図１は、本発明の第１の実施の形態にかかる揮散装置の全体断面図を示している。図２は、揮散用担体１２と遮蔽部材１３の斜視図である。
図１に示すように、揮散装置１０は、液体製剤Ｌを内部に収容した樹脂（例えば、ＰＥＴなど）からなる貯留容器１１と、液体製剤Ｌが供給される樹脂製の揮散用担体１２と、揮散装置１０の使用前（用事前）に揮散用担体１２が液体製剤Ｌに接触しないように配された遮蔽部材１３とによって概略構成されている。
【００１６】
貯留容器１１は、内部に液体製剤Ｌを収納する空間が形成される本体１１ａと、該本体１１ａから上方（図１に向かって上側）に立ち上げられた円筒状の立設片１１ｂとを有するように構成されている。本体１１ａの、立設片１１ｂに囲まれた部位は開口するように形成されており、立設片１１ｂの内周面によって開口部１４が区画されている。
【００１７】
図１及び図２に示すように、遮蔽部材１３は円筒形状を有し、開口部１４を介して貯留容器１１の内部に挿入されている。このとき、遮蔽部材１３は一方の端部が貯留容器１１の液体製剤Ｌに浸された状態で配されており、この端部は端面１３ａによって密閉されている。言い換えれば、遮蔽部材１３は底のある円筒形状である。
遮蔽部材１３の外周面の他方の端部には鍔部１５が環状に突設している。鍔部１５は、遮蔽部材１３を貯留容器１１の内部に挿入させた状態で、貯留容器１１の立設片１１ｂの上方端部に固着されている。このとき、遮蔽部材１３は、密封された側の端部が貯留容器１１の液体製剤Ｌに浸された状態になるように配される。
なお、遮蔽部材１３の材質としては、例えば、樹脂、金属、耐水性ラミネート材、ゴム、木、竹などを用いることができる。
鍔部１５は、遮蔽部材１３と別体として形成してもよい。
【００１８】
図２に示すように、揮散用担体１２は、長尺の平板状に形成され、液体製剤Ｌを吸液する吸液部１２ａと、吸液部１２ａと一体に形成され、吸液部１２ａから供給された液体製剤Ｌを保持して有効成分を揮散させる揮散部１２ｂとからなる。揮散部１２ｂは、長尺の帯状に形成され、その長手方向中間部で折り返されている。また、揮散部１２ｂは、その長手方向が吸液部１２ａの長手方向に対して垂直になるように設けられている。
揮散用担体１２において、吸液部１２ａと揮散部１２ｂとがそれぞれ別の部材として形成され、両者間で液体製剤Ｌが移動できるように、互いに取り付けられていてもよい。
【００１９】
揮散用担体１２は、図２に示すような保持部材１６によって保持されている。保持部材１６は、平面部分の大きさが異なった長方形の板部１６ａ、１６ｂを、平面部分が対向するように平行に配し、板部１６ａと１６ｂとの間で平面部分に対して垂直に設けられた巻付片１６ｃによって、板部１６ａと１６ｂが一体的に形成される構成を有している。保持部材１６は、巻付片１６ｃに揮散用担体１２の揮散部１２ｂが折り返された箇所を図２の矢印の方向から突き当てつつ、揮散部１２ｂにおける下方（図２に向かって下側）の縁部を板部１６ａの上面に支持させることで、揮散用担体１２を保持している。このとき、揮散用担体１２は、吸液部１２ａが板部１６ａに形成された切欠部１６ｄを介して下方に延びるように保持されている。
揮散用担体１２は、保持部材１６によって保持された状態で、吸液部１２ａの先端側（揮散部１２ｂに対して反対側の端部）が遮蔽部材１３の端面１３ａ側に当接又は近接するように遮蔽部材１３の内部に挿入される。吸液部１２ａの少なくとも一部が貯留容器１１の本体１１ａの内部に挿入された状態であればよい。
【００２０】
貯留容器１１の本体１１ａの底部１１ｃの内側面（図１に向かって上方の面）には、遮蔽部材１３を貯留容器１１に挿入して取り付けた状態で、端面１３ａと鉛直方向に対向する位置に突起部１７が設けられている。突起部１７の作用については後述する。
【００２１】
上述したように、揮散装置１０の用事前には、揮散用担体１２における貯留容器１１の内部に挿入された箇所の外周を遮蔽部材１３によって覆われているため、液体製剤Ｌが揮散用担体１２に吸液されることがない。また、遮蔽部材１３の鍔部１５によって貯留容器１１の開口部１４が密閉されているため、液体製剤Ｌの有効成分が開口部１４を介して揮散装置１０の外部の雰囲気中に揮散してしまうことが防止される。
図１に示すように、保持部材１６の板部１６ａと立設片１１ｂの上方端面との間にストッパ１９を設けれてもよい。こうすれば、保持部材１６が押し下げられる方向、つまり、揮散用担体１２が貯留容器１１の内部に挿入される方向に移動することが防止される。つまり、保持部材１６と立設片１１ｂとの間にストッパ１９を介在させることで不意に保持部材１６及び揮散用担体１２が押し下げられることが防止される。用事においては、ストッパ１９を取り除くことで揮散用担体１２を押し下げることが可能になり、揮散装置１０を使用することができる。
【００２２】
次に、図３及び図４を参照して、本実施の形態の揮散装置１０において有効成分を揮散させるときの状態を説明する。
図３は、有効成分を揮散させるとき（用事）の状態の揮散装置１０の全体断面図を示している。
揮散装置１０は、遮蔽部材１３における、開口部１４から上方に露呈している部分が作業者の手などで把持され、遮蔽部材１３が下方に押し下げられ、立設片１１ｂに取り付けられた鍔部１５が遮蔽部材１３から破断するように構成されている。言い換えれば、鍔部１５は、遮蔽部材１３を押し下げる際にかかる負荷に応じて遮蔽部材１３から破断するように形成される。鍔部１５と遮蔽部材１３との境界部が他の部位に比して薄肉に形成することで、適切に破断できるようにしてもよい。
【００２３】
遮蔽部材１３が下方に押し下げられることで、遮蔽部材１３の端面１３ａが貯留容器１１の本体１１ａの底部１１ｃの内側面に設けられた突起部１７によって突き破られて破断する。
ここで、図４（Ａ）は、端面１３ａが突起部１７によって破断された状態を示す、図３の拡大断面図である。また、図４（Ｂ）は、突起部１７の全体斜視図である。
図４（Ａ）に示すように、遮蔽部材１３の端面１３ａの破断された箇所から本体１１ａの液体製剤Ｌが矢印に示すように流入する。
突起部１７は、図４（Ｂ）に示すように、円形の板部材である基部１７ａと、該基部１７ａの円形平坦面の略中央に配され、先端部が鋭利に形成された突部１７ｂと、該突部１７ｂを囲むように円形平坦面の周縁部に沿って立ち上げられた略環状の側壁部１７ｃを有する。側壁部１７ｃは周方向において複数（図４（Ｂ）においては３個）の箇所で側壁部１７ｃを間欠させた間欠部１７ｄが形成される。こうすれば、端面１３ａが突起部１７に突き刺された際に、端面１３ａと側壁部１７ｃの状面とが密接しても、液体製剤Ｌが間欠部１７ｄを介して突部１７ｂ側に流入することができる。
【００２４】
本実施の形態の揮散装置は、使用者が用事に遮蔽部材の上方を把持し、貯留容器の内部に押し下げることで、貯留容器の内部に設けられた突起部によって遮蔽部材が破断され、また、開口部を密閉する鍔部が遮蔽部材から破断される。遮蔽部材における、突起部によって破断された箇所から貯留容器内に収容された液体製剤が遮蔽部材の内部に流入する。そして、流入した液体製剤は揮散用担体の吸液部に吸液され、上方に吸い上げられて揮散部に保持され、液体製剤中の有効成分が揮散装置の外部の雰囲気に揮散される。さらに、開口部の鍔部が破断されたことで、貯留容器の内部に空気が流れ込むようになり、吸液部から揮散部への液体製剤がスムーズになる。
【００２５】
本実施の形態の揮散装置において、揮散用担体、遮蔽部材及び鍔部、貯留容器の立設片などを図示しない蓋部材で覆ってもよい。こうすることで、揮散装置の外観のデザイン性を向上させることができる。
【００２６】
図５から図８を参照して、本発明の第２の実施の形態を説明する。なお、以下に説明する実施形態において、すでに説明した部材などと同等な構成・作用を有する部材等については、図中に同一符号又は相当符号を付すことにより、説明を簡略化或いは省略する。
図５は、本実施の形態の揮散装置の全体断面図を示している。図５に示すように、本実施の形態の揮散装置２０は、鍔部２５に接続された連結部２５ａを介して遮蔽部材２３の一部が一体的に形成され、且つ、この遮蔽部材２３の一部が、鍔部２５とともに切除可能な切除部を形成するように構成される。
【００２７】
図６は、図５に示す遮蔽部材２３の全体斜視図である。図６において、遮蔽部材２６の破線部分で区画される部位は切除部２７を示す。切除部２７の周囲に沿ってミシン目が設けられ、このミシン目が設けられた部位は、遮蔽部材２３の他の部位に比して薄肉に形成される。切除部２７は、端面２３ａから遮蔽部材２３の長手方向に沿って上方に延びる長方形を有している。
遮蔽部材２３の鍔部２５の周縁に、長尺に形成された連結部２５ａの一端が一体的に接続されている。連結部２５ａの他端が、切除部２７における端面２３との境界線部分の近傍に一体的に接続されている。
【００２８】
鍔部２５を遮蔽部材２３から破断して取り除く際に、鍔部２５に接続する連結部２５ａを介して切除部２７が遮蔽部材２３から剥離する。そして、遮蔽部材２３から切除部２７を剥離させた後は、遮蔽部材２３の剥離された部位がスリット状に開口する。
図７は図５に示す遮蔽部材２３の切除部を切除させた状態を示す部分拡大図である。図７に示すように、本実施の形態の揮散装置２０は、用事において、鍔部２５を取り外すのと同時に遮蔽部材２３の一部を形成する切除部２７が切除されることで、貯留容器２１の液体製剤Ｌを矢印に示すように遮蔽部材２３の内部に流入させ、揮散用担体２２の吸液部２２ａに接触させる構成を有している。
【００２９】
本実施の形態において、遮蔽部材及び鍔部は上記の構成に限定されない。
例えば、図８に示す変形例のように、遮蔽部材と鍔部とが連結部を介在させずに一体的に形成されていてもよい。
図８において、遮蔽部材２３と鍔部２５との境界部において、切除部２７の上方端部が鍔部２５と一体的に形成される。そして、遮蔽部材２３に対して鍔部２５を下方（図示しない端面側）へ移動させることで切除部２７が鍔部２５の移動に伴って下方に向かって切除される。なお、遮蔽部材２３は、切除部２７を切除した後は、図６に示したものと同様の状態となる。
このため、図８に示す変形例によれば、遮蔽部材２３と鍔部２５とを接続する連結部を設ける必要がない。
【００３０】
本実施の形態の揮散装置において、使用者が用事に鍔部を開口部から取り外せば、同時に、この鍔部と一体に形成された揮散用担体の一部が切除される。切除部から貯留容器内に収容された液体製剤が遮蔽部材の内部に流入する。そして、流入した液体製剤は揮散用担体の吸液部に吸液され、上方に吸い上げられて揮散部に保持され、液体製剤中の有効成分が揮散装置の外部の雰囲気に揮散される。さらに、開口部の鍔部が破断されたことで、貯留容器の内部に空気が流れ込むようになり、吸液部から揮散部への液体製剤がスムーズになる。
【００３１】
図９及び図１０を参照して、本発明の第３の実施の形態を説明する。なお、以下に説明する実施形態において、すでに説明した部材などと同等な構成・作用を有する部材等については、図中に同一符号又は相当符号を付すことにより、説明を簡略化或いは省略する。
図９は、本実施の形態の揮散装置３０の全体断面図を示している。
図９に示すように、本実施の形態の揮散装置３０は、揮散用担体３６の内部には、吸液部３６ａから揮散部３６ｂに鉛直方向（吸液部３６ａの長手方向）に沿って芯部材３７が配されている。
また、遮蔽部材３３の端面３３ａは、上記の芯部材３７を内蔵した吸液部３６ａに当接し、破断するように薄肉に形成されている。具体的には、端面３３ａと遮蔽部材３３の外周面との境界部に沿って溝などを設けることで薄肉に形成することができる。
ここで、芯部材３７としては、例えば、金属（針金）、樹脂、木、竹、ガラスなどを用いることができる。
【００３２】
図１０は、図９に示す揮散装置３０において、端面３３ａを吸液部３２の先端で破断させた状態を示している。図１０に示すように、揮散装置３０は、用事において、揮散用担体３２を下方に押し下げることによって、端面３３ａを破断させ、この破断された端面３３ａから液体製剤Ｌが図１０中に示す矢印のように遮蔽部材３３の内側に流入する。そして流入した液体製剤Ｌは、吸液部３２ａに接触して吸液され、揮散部３６ａ（図９参照）に供給される。
【００３３】
本実施の形態において、図９に示すように貯留容器３１は、底部３１ｃが、その内側面において端面３３ａと対応する箇所が最も下方に位置するように傾斜した構成を有している。このため、揮散装置３０の用事において、端面３３ａを破断して吸液部３２ａを底部３１ｃに当接させれば、本体３１ａ内の液体製剤Ｌの残量が僅かになっても、液体製剤Ｌが底部３１ｃの傾斜によって吸液部３２ａと底部３１ｃとが当接する箇所に導かれる。したがって、揮散装置３０の使用期間の末期において吸液部３２ａから吸液される液体製剤Ｌの量が著しく減少してしまうことを抑制することができる。
なお、上記の本体３１ａの底部３１ｃに傾斜を設ける構成は、前記の第１及び第２の実施の形態にかかる揮散装置に適用することができる。
また、底部３１ｃは平坦に形成され、また、本体３１ａの下方に一体的に形成された脚部３１ｄで底上げした状態としてもよい。
遮蔽部材３３の端面３３ａは、その周縁部のみが下方側（底部３１ｃ側）に突設するように構成された延設部を有していてもよい。このような構成によれば、揮散用担体３２を押し下げて遮蔽部材３３の端面３３ａを破断させる際に、延設部の先端が底部３１ｃに均等に当接することで揮散用担体３２及び遮蔽部材３３が安定し、底部３３ａを破断させやすくなる。上記のように、貯留容器３１の底部３１ｃを平坦に形成した際には、このような延設部を設けることで底部３３ａをより一層破断させやすくなる。
【００３４】
本実施の形態の揮散装置において、使用者が用事に遮蔽部材の上方を把持し、貯留容器の内部に押し下げることで、遮蔽部材の下方に位置して内部に芯部材を有する吸液部によって遮蔽部材の薄肉に形成されている部分が破断される。また、遮蔽部材を押し下げた際に開口部を密閉する鍔部が遮蔽部材から破断される。遮蔽部材における、破断された薄肉の部分から貯留容器内に収容された液体製剤が遮蔽部材の内部に流入する。そして、流入した液体製剤は揮散用担体の吸液部に吸液され、上方に吸い上げられて揮散部に保持され、液体製剤中の有効成分が揮散装置の外部の雰囲気に揮散される。さらに、開口部の鍔部が破断されたことで、貯留容器の内部に空気が流れ込むようになり、吸液部から揮散部への液体製剤がスムーズになる。
【００３５】
なお、本発明は、前述した実施形態に限定されるものではなく、適宜な変形、改良などが可能である。
例えば、鍔部は、開口部と対応するように開口した孔を有するキャップによって、鍔部の上方から貯留容器の立設片の上方端部に固定される構成としてもよい。
例えば、遮蔽部材は円筒形状に限らず、例えば、角筒など様々な形状とすることができる。
【００３６】
【発明の効果】
以上説明したように、本発明によれば、液体製剤に含まれる有効成分を用事に簡単な作業で揮散させることができる使い勝手がよい揮散装置を提供できる。
【図面の簡単な説明】
【図１】本発明の第１の実施の形態にかかる揮散装置の全体断面図である。
【図２】図１の一部分を示す斜視図である。
【図３】本発明の第１の実施の形態にかかる揮散装置の用事における状態を示す全体断面図である。
【図４】（Ａ）図３に示す揮散装置の部分断面図である。（Ｂ）突起部の斜視図である。
【図５】本発明の第２の実施の形態にかかる揮散装置の全体断面図である。
【図６】図５に示す遮蔽部材の斜視図である。
【図７】図５に示す揮散装置の用事における状態を示す部分断面図である。
【図８】図５に示す遮蔽部材の変形例を示す図である。
【図９】本発明の第３の実施の形態にかかる揮散装置の全体断面図である。
【図１０】図９に示す揮散装置の用事における状態を示す部分断面図である。
【符号の説明】
１０、２０、３０　　　　揮散装置
１１、２１、３１　　　　貯留容器
１２、２２、３２　　　　揮散用担体
１２ａ、２２ａ、３２ａ　吸液部
１２ｂ、２２ｂ、３２ｂ　揮散部
１３、２３、３３　　　　遮蔽部材
１４、２４、３４　　　　開口部
１５、２５、３５　　　　鍔部
１６、２６、３６　　　　保持部材
１７　　　　　　　　　　突起部
２７　　　　　　　　　　切除部
３７　　　　　　　　　　芯部材
Ｌ　　　　　　　　　　液体製剤
【図１】
2004024412.tif 000003
【図２】
2004024412.tif 000004
【図３】
2004024412.tif 000005
【図４】
2004024412.tif 000006
【図５】
2004024412.tif 000007
【図６】
2004024412.tif 000008
【図７】
2004024412.tif 000009
【図８】
2004024412.tif 000010
【図９】
2004024412.tif 000011
【図１０】
2004024412.tif 000012